(57)【特許請求の範囲】
【請求項１】
下細りの截頭円錐形の内周面、及びこの内周面の小径側に設けられた吸引口を有するケーシングと、前記内周面に沿って気体を噴出する少なくとも一つのノズルとを備えることを特徴とする渦気流吸引装置。
【請求項２】
前記内周面の大径側を塞ぐと共に側面に排出口を有するカバーを備えることを特徴とする請求項１に記載の渦気流吸引装置。
【請求項３】
前記ノズルは、前記内周面の中心軸に対して直交する平面内の同一円周上に、周方向に間隔を開けて、複数設けられることを特徴とする請求項１または２に記載の渦気流吸引装置。
【請求項４】
前記ノズルは、前記内周面の中心軸の方向にずらして、複数設けられることを特徴とする請求項１または２に記載の渦気流吸引装置。
【請求項５】
前記排出口には、前記排出口に向かって気体を噴出する排出ノズルが設けられることを特徴とする請求項２ないし４いずれかに記載の渦気流吸引装置。
【請求項６】
前記排出ノズルは、前記排出口における、前記ノズルが発生する渦気流の下流側の側面に設けられた第１の排出ノズルと、前記排出口における、前記ノズルが発生する渦気流の上流側の側面に設けられた第２の排出ノズルとを備えることを特徴とする請求項５に記載の渦気流吸引装置。
【請求項７】
前記ノズル及び排出ノズルの少なくとも一方から噴出される気体の噴出量が調整可能であることを特徴とする請求項５又は６に記載の渦気流吸引装置。
【請求項８】
少なくとも袋及びフィルムが混在されているごみから袋及びフィルムを選別する選別装置であって、前記ごみを搬送する搬送コンベヤと、前記搬送コンベヤの搬送面の上方に設けられ、渦気流によって前記袋及びフィルムを吸引する渦気流吸引装置とを備え、前記渦気流吸引装置は、下細りの截頭円錐形の内周面、及びこの内周面の小径側に設けられた吸引口とを有するケーシングと、前記内周面の大径側を塞ぐと共に側面に排出口が設けられるカバーと、前記内周面に沿って気体を噴出する少なくとも一つのノズルと、を有することを特徴とする選別装置。
【請求項９】
前記搬送コンベヤの両側に、前記搬送面に向かって気体を噴出すると共に互いに対向する少なくとも一対の補助ノズルが設けられることを特徴とする請求項８に記載の選別装置。
【請求項１０】
前記補助ノズルは、前記搬送コンベヤの搬送方向に細長く延びるように平らに形成されたフラットノズルから構成されることを特徴とする請求項９に記載の選別装置。
【請求項１１】
前記搬送コンベヤは、コンベヤ用カバーで覆われ、前記渦気流吸引装置の前記吸引口は、このコンベヤ用カバーに接続されることを特徴とする請求項８乃至１０に記載の選別装置。
【請求項１２】
前記補助ノズルは、前記渦気流吸引装置の中心よりも前記搬送コンベヤの搬送方向の上流側に設けられることを特徴とする請求項９ないし１１のいずれかに記載の選別装置。
【発明の詳細な説明】
【０００１】
【発明の属する技術分野】
本発明は、ごみ等を吸引する吸引装置に関し、特に、各家庭等から収集されたごみ袋等の破袋後の袋、フィルムを回収する吸引装置及びこの吸引装置を用いた選別装置に関する。
【０００２】
【従来の技術】
缶、瓶、プラスチックボトル類の有価物は、ごみ袋に詰められて再資源化プラントに送られる。再資源化プラントにおいては、有価物を梱包しているゴム袋を破袋し、破袋後のごみ袋、缶、瓶、プラスチックボトル等を選別回収している。従来、この破袋後のごみ袋の回収は人手で行われていたが、自動的に回収する除袋装置として以下のものが知られている。
【０００３】
▲１▼周囲をパイプで構成した回転ドラムに破袋後の袋を送り込み、中の袋をパイプのフックに引っ掛けて持ち上げ、袋を上面側の受け皿に吹き落し、受け皿上の袋をブロワーで吸い込む除袋装置（特開平９−９６６号公報参照）。
【０００４】
▲２▼破袋後の袋を、周囲に弾性フックを有する回転ブラシで引っ掛けて掻き揚げ、掻き揚げた袋をブロワーで吸い込み、サイクロン集塵機で捕集する除袋装置（特開平９−２４９１６号公報参照）。
【０００５】
▲３▼ベルトコンベヤで破袋後の袋が混在したごみを搬送し、コンベヤの終点でごみを落下させ、落下したごみに対してノズルヘッダで下方から上方に気流を噴射し、袋を分別回収する風力選別装置（特開平１０−２４９２８２号公報参照）。
【０００６】
▲４▼破袋装置の破袋ホイールの底部に、破袋ホイールと同じ方向に、同じ速度で回転する除袋スクリーンを設け、ノズルで高圧気流を発生して尖頭状破袋刃と破袋ホイールの回転力で引き裂かれた袋を除袋スクリーンに押し付け、回収シュートで除袋スクリーンに押し付けられた袋を回収する除袋装置（特開平１０−２０３５１５号公報参照）。
【０００７】
【発明が解決しようとする課題】
しかしながら、上記▲１▼の除袋装置にあっては、袋をフックに引っ掛けて持ち上げるのに機械系が大掛かりとなり、また、袋を空気流にて吸い込むのには大容量の吸引ブロワーが必要となる。
【０００８】
また、上記▲２▼の除袋装置にあっても、袋を弾性フックに引っ掛けて掻き揚げるのに機械系が大掛かりになり、また、掻き揚げた袋を空気流にて吸い込むのには大容量の吸引ブロワーが必要となる。
【０００９】
また、上記▲３▼の風力選別装置にあっては、確実に袋を回収できないおそれがある。
【００１０】
さらに、上記▲４▼の除袋装置にあっても、袋を除袋スクリーンに押し付け、回収シュートで回収すのに機械系が大掛かりになる。
【００１１】
そこで、本発明は、大掛かりな機械系を有することなく、小風量の空気流を利用して、確実に袋類を回収できる渦気流吸引装置及び選別装置を提供することを目的とする。
【００１２】
【課題を解決するための手段】
以下、本発明について説明する。なお、本発明の理解を容易にするために添付図面の参照番号を括弧書きにて付記するが、それにより本発明が図示の形態に限定されるものでない。
【００１３】
破袋後のごみ袋、缶、瓶、プラスチックボトル等が混在しているごみから袋、フィルムを除袋する場合、機械系を簡単にするためには、コンベヤ上を流れるごみから袋、フィルムのみを吸い上げるのが望ましい。従来、吸引口を有するダクトで吸引を行う場合、排出口に吸引ブロワーを連結し、ダクト内部を負圧にし、吸引口から袋、フィルムを吸込むのが常識であった。これは、一般に使われている掃除機とおなじ原理である。しかしながら、この方法でベルトコンベヤ上を流れる袋、フィルムを吹い上げるのには巨大なブロワーが必要となる。なぜならば、実用的な吸引除袋装置において、袋、フィルムを吸引するためのダクトの開口寸法が搬送幅と同等以上で、かつ搬送面から吸引口までの高さが瓶、缶、プラボトル等の資源化物の通過を妨げない寸法、すなわち、開口巾は３００ｍｍ以上、高さは１５０ｍｍ以上必要とされるためである。この寸法で袋、フィルムを吸引するのは至難の技であった。
【００１４】
これに対して、本発明者は、吸引ダクト内に渦流れを起こし、竜巻の原理で袋、フィルムを吸い上げれば、小風量でしかも確実に袋、フィルムを吸い上げられることを知見した。具体的には、本発明は、下細りの截頭円錐形に形成された内周面（９ａ）及びこの内周面の小径側に設けられた吸引口を有するケーシング（５）と、前記内周面（９ａ）に沿って気体を噴出する少なくとも一つのノズル（６，６）とを備えることを特徴とする渦気流吸引装置（１）により、上述した課題を解決した。ここで、気体には、空気の他に窒素ガス、炭酸ガス等を用いることができる。特に、防爆等の要求があるときは、窒素ガス、炭酸ガス等を使用する。一般的には、簡単に入手でき、かつ安価な圧縮空気を使用する。
【００１５】
ノズルに圧縮空気を吹き込むと、このノズルからケーシングの内周面に沿って高速の空気が噴出する。この空気は上方に開いた内周面の頂角の効果で上向きの速度成分を持ち、結果として吸引口から上方へ向かって螺旋状の空気流を形成する。この螺旋状の空気流は、吸引口外側から空気を吸い込む。このため、例えば吸引口付近にある袋、フィルムを空気流に乗って上方へ吸い上げることができる。
【００１６】
また、本発明は、前記内周面（９ａ）の大径側を塞ぐと共に側面に排出口（１０）を有するカバー（７）を備えることを特徴とする。
【００１７】
この発明によれば、この渦気流吸引装置に吸引された袋、フィルムは遠心力で内周面に押しつけられるように上昇する。そして、カバーの側面に設けられた排出口から確実に排出される。
【００１８】
また、本発明は、前記ノズル（６）が、前記内周面（９ａ）の中心軸（１３）に対して直交する平面内の同一円周上に、周方向に間隔を開けて、複数設けられることを特徴とする。
【００１９】
この発明によれば、ケーシングの内部に、安定した旋回流を起こすことができ、吸引と排出がスムーズになる。
【００２０】
また、本発明は、前記ノズル（６）が、前記内周面（９ａ）の中心軸（１３）の方向にずらして、複数設けられることを特徴とする。
【００２１】
この発明によれば、袋、フィルムを持ち上げる距離を大きくとることができる。
【００２２】
また、本発明は、前記排出口（１０）に向かって気体を噴出する排出ノズル（１１，１２）が前記排出口（１０）に設けられることを特徴とする。
【００２３】
袋及びフィルムを旋回させながら排出する場合、排出口の側面、特に渦気流の下流側の側面に袋及びフィルムが引っ掛るおそれがある。この発明によれば、排出口に向かって気体を噴出する排出ノズルが設けられるので、排出口の側面に引っ掛る袋及びフィルムは強制的に排出される。また、排出ノズルからの噴出気体が回りの気体を巻き込み・誘導するので、渦気流吸引装置から排出される気体が倍増する。この結果、吸引口から吸い込まれる気体の吸込み量が増加し、渦気流吸引装置の吸引力及び排出力が増強する。
【００２４】
また、本発明は、前記排出ノズル（１１，１２）が、前記排出口（１０）における、前記ノズル（６，６）が発生する渦気流の下流側の側面に設けられた第１の排出ノズル（１１）と、前記排出口（１０）における、前記ノズル（６，６）が発生する渦気流の上流側の側面に設けられた第２の排出ノズル（１２）とを備えることを特徴とする。
【００２５】
この発明によれば、第１の排出ノズルが渦の流れとは反対方向に気体を噴出し、主に排出口の側面に引っ掛った袋、フィルムを強制的に排出する。また、第２の排出ノズルは、主に噴出気体による誘導によって排出される気体を倍増する。
【００２６】
また、本発明は、前記ノズル（６，６）及び排出ノズル（１１，１２）の少なくとも一方から噴出される気体の噴出量が調整可能であることを特徴とする。
【００２７】
この発明によれば、渦気流吸引装置の吸引力及び排出力を調整することができ、袋及びフィルムを選別する場合等の選別純度を上げることができる。
【００２８】
さらに、本発明は、少なくとも袋及びフィルム（３…）が混在されているごみから袋及びフィルム（３…）を選別する選別装置であって、前記ごみを搬送する搬送コンベヤ（４）と、前記搬送コンベヤ（４）の搬送面（４ａ）の上方に設けられ、渦気流によって前記袋及びフィルム（３…）を吸引する渦気流吸引装置（１）とを備え、前記渦気流吸引装置（１）は、下細りの截頭円錐形の内周面（９ａ）、及びこの内周面（９ａ）の小径側に設けられた吸引口（８）とを有するケーシング（５）と、前記内周面（９ａ）の大径側を塞ぐと共に側面に排出口（１０）が設けられるカバー（７）と、前記内周面（９ａ）に沿って気体を噴出する少なくとも一つのノズル（６，６）と、を有することを特徴とする選別装置により、上述した課題を解決した。
【００２９】
この発明によれば、ノズルに圧縮空気を吹き込むと、搬送コンベヤの搬送面上を搬送されるごみのうち、袋及びフィルムが気体流に乗って上方に吸い上げられる。一方、袋及びフィルムと混在して搬送される缶、瓶、及びプラスチックボトルは、嵩比重が袋及びフィルムに比べて充分大きいため、この気体流の影響を受けずにそのまま搬送される。したがって、大掛かりな機械系を有することなく、小風量の空気流を利用して、確実に袋類を回収できる。
【００３０】
また、本発明は、前記搬送コンベヤ（４）の両側に、前記搬送面（４ａ）に向かって気体を噴出すると共に互いに対向する少なくとも一対の補助ノズル（１６ａ，１６ｂ）が設けられることを特徴とする。
【００３１】
搬送されるごみは、ガラスビン、缶、プラスチックボトル、破袋後の袋、フィルム等を含む。これらのごみは相互に重なり合って搬送されるので、上方からの吸引のみではガラスビン、缶の下敷きにになった袋及びフィルムの回収が困難になる。この発明によれば、互いに対向する補助ノズルによって噴出される気体が搬送面で反射することによって、袋及びフィルムが上方への浮力を浮け、この袋及びフィルム上に乗っているガラスビン、缶等も若干浮くことになる。これにより、袋、フィルムを引き抜くことができる。
【００３２】
また、本発明は、前記補助ノズル（１６ａ，１６ｂ）が、前記搬送コンベヤ（４）の搬送方向に細長く延びるように平らに形成されたフラットノズルから構成されることを特徴とする。
【００３３】
この発明によれば、フラットノズルから噴出される気体が回りの気体を巻き込むので、搬送面に噴出される気体量が増し、袋及びフィルムに大きな上方への浮力を与えることができる。
【００３４】
また、本発明は、前記搬送コンベヤ（４）がコンベヤ用カバー（１３）で覆われ、前記渦気流吸引装置（１）の前記吸引口（８）は、このコンベヤ用カバー（１３）に接続されることを特徴とする。
【００３５】
この発明によれば、コンベヤ用カバーが補助ノズルから噴出される気体をコンベヤの搬送面を経由して吸引口に導くので、気体が飛散することなく、最適な気体の流れが形成される。
【００３６】
また、本発明は、前記補助ノズル（１６ａ，１６ｂ）は、前記渦気流吸引装置（１）の中心よりも前記搬送コンベヤ（４）の搬送方向の上流側に設けられることを特徴とする。
【００３７】
この発明によれば、袋及びフィルムに浮力を与え、袋及びフィルムを浮かすのに時間がかかっても、渦気流吸引装置の下方では袋及びフィルムを浮き上がった状態にすることができる。
【００３８】
【発明の実施の形態】
図１は、本発明の一実施形態における渦気流吸引装置１を組み込んだ選別装置を示す。選別装置は、缶、瓶及びプラスチックボトル２…等が混在する資源ごみを搬送する搬送コンベヤ４と、搬送コンベヤ４の上方に設けられ、渦気流によって袋及びフィルム３…を吸引する渦気流吸引装置１とを備える。この選別装置は資源ごみから破袋後の袋及びフィルムを選別する。
【００３９】
搬送コンベヤ４は、両端のベルト車の間に幅広の無端環状のベルトを循環させて、ベルト上面（搬送面）の上に資源ごみを載せて搬送する周知のベルトコンベヤからなる。
【００４０】
渦気流吸引装置１は、除袋装置として用いられ、缶、瓶、プラスチックボトル２…等が混在する資源ごみから袋及びフィルム３…のみを回収する。この渦気流吸引装置１は、搬送コンベヤ４上に配置され、下細りの截頭円錐形に形成された内周面９ａを有するケーシング５と、このケーシング５の内周面９ａに沿って空気を噴出するノズル６…とを備える。
【００４１】
バケツ形状のケーシング５は、図２及び図３に示すように、下端から上端に向かうにつれ徐々に径が広くなる円錐部９を備える。円錐部９の上端はカバー７で塞がれ、円錐部９の下端には吸引口８を設けている。カバー７の側面には排出口１０が形成される。
【００４２】
吸引口８は断面円形で、その開口寸法は搬送コンベヤ４の搬送幅よりも若干小さく設定される。また、搬送コンベヤ４の搬送面から吸引口８までの高さは、缶、瓶、プラスボトル等の通過を妨げないように設定される。例えば、開口幅は３００ｍｍ以上、高さは１５０ｍｍ以上に設定される。
【００４３】
円錐部９は、内周面９ａが円錐形に形成され、その頂角αが５度〜３０度程度に設定される。この円錐部９は、例えば板材を円錐形に曲げ加工等して製造される。円錐部９の径及び高さは、吸い上げた袋、フィルム３に渦流で遠心力を働かせ、袋、フィルム３を確実に排出できるように設定される。円錐部９の頂角を０に近づけ内周面９ａを円筒形にすると、渦流は上向きの速度成分を有さず、円筒形の内周面９ａだけで旋回することになり、吸い上げ効果がでにくくなる。なお、この実施の形態では、後述するように円錐部９の上端にカバー７を設け、このカバー７に排出口１０を設けているが、袋、フィルム３を確実に排出することができれば円錐部９に直接排出口１０を設けてもよい。
【００４４】
円錐部９の上端は排出ダクト（カバー）７で塞がれている。排出ダクト７は、円錐部９の上端よりも径を大きくした略円筒状に形成され、その側面には旋回する袋、フィルム３を接線方向に排出するように排出口１０が形成される。袋、フィルム３は、遠心力で排出ダクト７の側面に押し付けられ、排出口１０から排出される。なお、この排出口１０に図示しない吸引ダクトを接続し、吸い上げた袋、フィルム３を吸引ダクトで引っ張り、図示しないサイクロンで集塵処理してもよい。この場合、吸引ダクトに接続されるブロワーは、袋、フィルム３を吸い上げる吸引装置として用いることがないので、補助的で済み、大容量のものを用意する必要がない。
【００４５】
円錐部９の吸引口８側には、内周面９ａに沿って空気を噴出する一対のノズル６，６が設けられる。一対のノズル６，６は、内周面９ａの中心軸１３に対して直交する平面内の同一円周上に、周方向に均等間隔、この場合は１８０度の間隔を開け、しかも同一方向（例えば時計回り）に旋回流を生じるように配置されている。
【００４６】
ノズル６，６にはコンプレッサ等から圧縮空気が送られ、ノズル６，６から高速の空気が噴出される。ここで、袋及びフィルム３を吸い上げる吸引力は、空気の流量よりも流速に左右される。このため、吸引力を上げるためには、ノズル６，６の先端の断面積を小さくし、流速を上げるのが望ましい。
【００４７】
ノズル６，６は、水平方向の速度成分をもつ空気を噴出するように水平に配置されているが、噴出した空気が上向きの速度成分をもつように先端を若干上方向に傾けて配置してもよい。また、ノズル６は２本設けているが、もちろん２本に限られることなく、１本であってもよいし、２本以上例えば６本であってもよい。このノズル６の本数は吸引する対象の大きさ、嵩比重等によって決定される。
【００４８】
図４は、ノズル６，６の配置の他の例を示す。この例では、袋及びフィルム３を持ち上げる距離を大きくとることができるように、ノズル６，６を内周面９ａの中心軸１３の方向にずらして、複数個例えば２個設けている。
【００４９】
袋詰めの瓶、缶、プラスチックボトル等の資源ごみは図示しない破袋装置等で袋が破袋され、図１に示すように、瓶、缶、プラスチックボトル、袋及びフィルム３が混在した資源ごみが搬送コンベヤ４上を搬送される。
【００５０】
資源ごみのうち、嵩比重の小さい袋及びフィルム３は、渦気流吸引装置１で回収される。渦気流吸引装置１のノズル６，６に圧縮空気を吹き込むと、このノズル６，６からケーシング５の内周面９ａに沿って高速の空気が噴出する。この空気は上方に開いた頂角αの効果で上向きの速度成分を持ち、結果として吸引口８から排出口１０へ向かって螺旋状の空気流を形成する。この螺旋状の空気流は、吸引口８外側から空気を吸い込む。このため、吸引口８付近にある袋及びフィルム３は空気流に乗って上方へ吸い上げられる。吸い上げられた袋、フィルム３は、遠心力で内周面９ａに押しつけられるように上昇する。そして、ケーシング５の側面に設けられた排出口１０から確実に排出される。搬送コンベヤ４上を袋、フィルム３と混在して流れる缶、瓶、プラスチックボトル２は、嵩比重が袋、フィルム３に比べて充分大きいため、この空気流の影響を受けずに搬送される。
【００５１】
回収された袋、フィルム３は、比重分離され、塩ビ、ポリエチレン、ポリプロピレンの粒状物に造粒される。また、缶は誘導電磁力によってアルミ缶、スチール缶に分別され、瓶は色別に分別され、プラボトルは材質毎に分別される。
【００５２】
図５は、本発明の第２の実施形態における渦気流吸引装置を示す。この渦気流吸引装置は、下細りの截頭円錐形に形成された内周面９ａを有するケーシング５と、このケーシング５の内周面９ａに沿って空気を噴出するノズル６…と、ケーシング５の大径側を塞ぐと共に側面に排出口１０が設けられた排出ダクト（カバー）７とを備える。排出口１０の片側の排出ダクト７ａは、排出口１０に向かって絞られている。この排出ダクト７の排出口１０の両側には、排出口に向かって空気を噴出する第１の排出ノズル１１及び第２の排出ノズル１２が設けられる。第１の排出ノズル１１は、ノズル６，６が発生する渦気流１の下流側に設けられ、渦気流１と反対方向に空気を噴出する。第２の排出ノズル１２は、渦気流１の上流側に設けられ、渦気流１と同方向に空気を噴出する。第１及び第２の排出ノズル１１，１２及びノズル６，６から噴出される空気量は、袋及びフィルムの選別純度を上げるために、図示しない調整弁等によって調整される。
【００５３】
袋及びフィルムを旋回させながら排出する場合、排出口１０の側面、特に渦気流▲１▼の下流側の側面１０ａに袋及びフィルム３が引っ掛かるおそれがある。この実施形態の渦気流吸引装置によれば、排出口１０に向かって空気を噴出する第１及び第２排出ノズル１１，１２が設けられるので、排出口１０の側面１０ａに引っ掛る袋及びフィルム３は第１の排出ノズル１１によって強制的に排出される。また、第２の排出ノズル１２の噴出空気が回りの空気を巻き込み・誘導するので、渦気流吸引装置から排出される空気が倍増する。この結果、吸引口８から吸い込まれる空気の吸込み量が増加し、渦気流吸引装置の吸引力及び排出力が増強する。
【００５４】
図６及び図７は、本発明の第２の実施形態における選別装置を示す。この選別装置も、缶、瓶、プラスチックボトル２等が混在する資源ごみを搬送する搬送コンベヤ４と、搬送コンベヤ４の上方に設けられ、渦気流によって袋及びフィルムを吸引する渦気流吸引装置１とを備える。
【００５５】
この選別装置において、搬送コンベヤ４はコンベヤ用カバー１３で部分的に覆われ、渦気流吸引装置１の吸引口８がこのコンベヤ用カバー１３に接続されている。コンベヤ用カバー１３は、吸引口８の上流側及び下流側に吸引口８と略等しい長さに延ばされている。吸引口８とコンベヤ用カバー１３との接続部分１４は、下方に向かって径が大きくなるラッパ形状に形成され、その断面は円弧状に形成される。
【００５６】
搬送方向と直交する方向における搬送コンベヤ４の両側には、搬送コンベヤ４の搬送面（ベルトの上面）４ａに向かって空気を噴出すると共に互いに対向する一対の補助ノズル１６ａ，１６ｂが設けられる。補助ノズル１６ａ，１６ｂは搬送コンベヤ４の両側面のガイド４ｂを貫通し、斜め下方を向いている。補助ノズル１６ａ，１６ｂと搬送面４ａのなす角度βは、３０度〜６０度に設定される。
【００５７】
図８は、補助ノズル１６ａ，１６ｂの平面図を示す。この補助ノズルは、搬送コンベヤ４の両側に対になるように配置され、例えば合計４個設けられる。各補助ノズル１６ａ，１６ｂは、搬送コンベヤ４の搬送方向に細長く延びるように平らに形成されたフラットノズルから構成される。一対の補助ノズル１６ａ，１６ｂは、渦気流吸引装置１の中心よりも搬送コンベヤ４の搬送方向▲１▼の上流側に設けられ、搬送コンベヤの両側から搬送方向と直交する方向に空気を噴出する。
【００５８】
搬送される資源ごみは、ガラスビン、缶、プラスチックボトル、破袋後の袋、フィルム等を含む。これらの資源ごみは相互に重なり合って搬送されるので、上方からの吸引のみではガラスビン、缶２…の下敷きにになった袋及びフィルム３…の回収が困難になる。この選別装置によれば、図７に示すように、補助ノズル１６ａ，１６ｂによって噴出される空気が搬送面４ａで反射することによって、袋及びフィルム３…が上方への浮力を浮け、この袋及びフィルム３…上に乗っているガラスビン、缶等２…も若干浮くことになる。これにより、袋及びフィルム３…を引き抜くことができる。
【００５９】
なお、この補助ノズル１６ａ，１６ｂを設けた選別装置は既存の搬送コンベヤに渦気流吸引装置を取付ける場合等に好適に適用することができるが、他にガラスビン、缶２…の下敷きになった袋及びフィルム３…を浮き上がらせる方法として、コンベヤの搬送面を上下に振動させる方法、コンベヤとコンベヤの乗り継ぎ部で吸引する方法等が考えられる。
【００６０】
また、上記実施形態では、本発明の渦気流吸引装置を瓶、缶、プラスチックボトル、袋、フィルムが混在した資源ごみから袋及びフィルムを回収する選別装置として用いたが、もちろん、選別装置に限られることなく、例えば、焼却灰の吸引装置、道路側溝の枯葉吸引装置等としても用いることができる。焼却灰の吸引装置として用いる場合、灰までの距離がある程度離れていても吸い上げることができるので、ロボット化しやすくなる。また、道路側溝には、枯葉と石とが混在して落ちている。道路からの距離がある程度離れていても、石は吸わないで、枯葉のみを吸引して回収することができる。
【００６１】
【実施例】
吸引口の径４００ｍｍ、ケーシングの高さ６００ｍｍにて、頂角を変化させ、平面上に置いた袋をどれくらい離して吸い上げられるかをテストした。この結果、頂角１５度で、吸引口２００ｍｍ下面にある袋を確実に吸引できることを確認した。頂角は１５度程度がのぞましいが、５度から３０度までは同様な効果を期待できる。また、ノズルの本数は１本でもよいが、２本のノズルを円周上の対象の位置に配置すると、ズムーズな吸引と排出が実現できた。
【００６２】
【発明の効果】
以上説明したように、本発明によれば、渦気流吸引装置が、下細りの截頭円錐形に形成された内周面を有し、前記内周面の小径側の一端に吸引口が設けられたケーシングと、前記内周面に沿って気体を噴出する少なくとも一つのノズルとで構成される。ノズルに圧縮空気を吹き込むと、このノズルからケーシングの内周面に沿って高速の空気が噴出する。この空気は上方に開いた頂角の効果で上向きの速度成分を持ち、結果として吸引口から上方へ向かって螺旋状の空気流を形成する。この螺旋状の空気流は、吸引口外側から空気を吸い込む。したがって、小風量で吸引口付近にある袋、フィルムを吸い上げることができ、また、既存の破袋後の搬送ラインに容易に設置することもできる。
【図面の簡単な説明】
【図１】本発明の一実施形態における渦気流吸引装置を組み込んだ選別装置示す斜視図。
【図２】上記渦気流吸引装置の平面図。
【図３】上記図２の３−３線断面図。
【図４】他のノズル配置の例を示す吸引装置の断面図。
【図５】本発明の第２の実施形態における渦気流吸引装置を示す平面図。
【図６】本発明の第２の実施形態における選別装置を示す斜視図。
【図７】上記図６の７−７線断面図。
【図８】上記図６の選別装置の補助ノズルを示す平面図。
【符号の説明】
１  渦気流吸引装置
４  搬送コンベヤ
４ａ  搬送面
５  ケーシング
６，６  ノズル
７  カバー
８  吸引口
９ａ  内周面
１０  排出口
１１  第１の排出ノズル（排出ノズル）
１２  第２の排出ノズル（排出ノズル）
１６ａ，１６ｂ  補助ノズル
１３  コンベヤ用カバー
【図１】
0003754607.tif 000002
【図２】
0003754607.tif 000003
【図３】
0003754607.tif 000004
【図４】
0003754607.tif 000005
【図５】
0003754607.tif 000006
【図６】
0003754607.tif 000007
【図７】
0003754607.tif 000008
【図８】
0003754607.tif 000009